(57)【要約】【課題】偏心軸とコネクティングロッドの偏心軸支持孔間に設けられるブッシュの変形を防止することができる往復動式圧縮機を提供する。【解決手段】偏心軸から動力を受けて往復運動して冷媒を圧縮するピストンと、一端に前記偏心軸が結合される偏心軸支持孔２５ａを有し、前記偏心軸の回転運動を直線往復運動に転換して前記ピストンに伝達するコネクティングロッド２５と、前記偏心軸支持孔２５ａと前記偏心軸間に配設されて前記偏心軸支持孔２５ａと前記偏心軸間の空間を満たし、内部に前記偏心軸が回転可能に挿設されるヒンジ孔２６ａを有するブッシュ２６と、前記偏心軸支持孔２５ａ及び前記ブッシュ２６のいずれか一つに設けられる押込み溝２５ｃと、前記偏心軸支持孔２５ａ及び前記ブッシュ２６のほかの一つに設けられ、前記押込み溝２５ｃと対応する形状に突出して前記押込み溝２５ｃに押し込まれる押込み突起２６ｂとを含む。【選択図】図２
2005163776.tif 000002
【特許請求の範囲】
【請求項１】
回転力を発生させる駆動ユニットから回転力を受けて回転する回転軸と、
前記回転軸により偏心状態で回転する偏心軸と、
前記偏心軸から動力を受けて往復運動して冷媒を圧縮するピストンと、
一端に前記偏心軸が結合される偏心軸支持孔を有し、前記偏心軸の回転運動を直線往復運動に転換して前記ピストンに伝達するコネクティングロッドと、
前記偏心軸支持孔と前記偏心軸間に配設されて前記偏心軸支持孔と前記偏心軸間の空間を満たし、内部に前記偏心軸が回転可能に挿設されるヒンジ孔を有するブッシュと、
前記偏心軸支持孔及び前記ブッシュのいずれか一つに設けられる押込み溝と、
前記偏心軸支持孔及び前記ブッシュの他の一つに設けられ、前記押込み溝と対応する形状に突出して前記押込み溝に押し込まれる押込み突起と、
を有することを特徴とする往復動式圧縮機。
【請求項２】
前記ブッシュの外径と前記偏心軸支持孔の内径は、前記偏心軸が前記偏心軸支持孔内でスライドできるようにスライド公差を有し、
前記押込み突起と前記押込み溝は互いに押込み結合されるように押込み公差を有し、前記偏心軸が前記押込み突起と前記押込み溝のみにより前記偏心軸支持孔に押し込まれることを特徴とする請求項１に記載の往復動式圧縮機。
【請求項３】
前記押込み突起の端面は前記押込み溝の内側面に対してスライド公差を有するように形成され、前記押込み突起の両側面は前記押込み溝の両側面に対して押込み公差を有するように形成されることを特徴とする請求項２に記載の往復動式圧縮機。
【請求項４】
前記押込み溝及び前記押込み突起は円周方向に一定の間隔で多数設けられることを特徴とする請求項１に記載の往復動式圧縮機。
【発明の詳細な説明】
【技術分野】
【０００１】
本発明は往復動式圧縮機に係り、より詳しくは回転軸とピストンとの間に連結されるコネクティングロッドを有する往復動式圧縮機に関するものである。
【背景技術】
【０００２】
一般に、往復動式圧縮機は密閉空間内で冷媒を圧縮して外部へ吐き出す装置であって、密閉容器の内部で冷媒を圧縮する圧縮部とこれを駆動させる駆動部とからなる。
【０００３】
前記圧縮部は、冷媒を圧縮するための圧縮室が形成されたシリンダブロックと、シリンダブロックの一側に結合され、前記圧縮室に対する吸入と吐出を案内する吸入室と吐出室がそれぞれ設けられたシリンダヘッドと、前記圧縮室の内部で直線往復運動するピストンとを含む。
【０００４】
前記駆動部は、電源の印加により磁場を形成する固定子と、前記固定子と相互作用して回転する回転子と、前記回転子の中心部に軸方向に押し込まれて一体的に回転する回転軸とを含む。前記回転軸には偏心状態で回転する偏心軸が一体的に設けられ、偏心軸とピストンとの間には、偏心軸の偏心回転運動を往復運動に転換してピストンに伝達するコネクティングロッドが設けられている。
【０００５】
前記コネクティングロッドには、偏心軸が貫通する偏心軸支持孔が設けられている。このような偏心軸支持孔は、組立過程で偏心軸が容易に偏心軸支持孔に収容されるように、偏心軸の外径より十分に大きく形成され、偏心軸とコネクティングロッドの偏心軸支持孔間には、コネクティングロッドの偏心軸支持孔に偏心軸が挿入された後、コネクティングロッドと偏心軸支持孔間の空間を満たして偏心軸の偏心回転を安定的にコネクティングロッドに伝達するブッシュが設けられている。
【発明の開示】
【発明が解決しようとする課題】
【０００６】
ところで、このような往復動式圧縮機において、ブッシュはコネクティングロッドの偏心軸支持孔に押し込まれるが、このようにブッシュがコネクティングロッドの回転軸支持孔に押し込まれる過程で押込み力をブッシュが受けて半径方向内側に変形し、その変形部が偏心軸と摩擦して偏心軸の回転を妨害するおそれがある。
【０００７】
したがって、本発明は、このような従来の問題点を解決するためになされたもので、その目的は、ブッシュがコネクティングロッドの偏心軸支持孔に押し込まれる過程で変形することを防止することができる往復動式圧縮機を提供することにある。
【課題を解決するための手段】
【０００８】
前記のような目的を達成するため、本発明は、回転力を発生させる駆動ユニットから回転力を受けて回転する回転軸と、前記回転軸により偏心状態で回転する偏心軸と、前記偏心軸から動力を受けて往復運動して冷媒を圧縮するピストンと、一端に前記偏心軸が結合される偏心軸支持孔を有し、前記偏心軸の回転運動を直線往復運動に転換して前記ピストンに伝達するコネクティングロッドと、前記偏心軸支持孔と前記偏心軸間に配設されて前記偏心軸支持孔と前記偏心軸間の空間を満たし、内部に前記偏心軸が回転可能に挿設されるヒンジ孔を有するブッシュと、前記偏心軸支持孔及び前記ブッシュのいずれか一つに設けられる押込み溝と、前記偏心軸支持孔及び前記ブッシュのほかの一つに設けられ、前記押込み溝と対応する形状に突出して前記押込み溝に押し込まれる押込み突起とを含んでなる往復動式圧縮機を提供する。
【０００９】
前記ブッシュの外径と前記偏心軸支持孔の内径は、前記偏心軸が前記偏心軸支持孔内でスライドできるようにスライド公差を有し、前記押込み突起と前記押込み溝は互いに押込み結合されるように押込み公差を有し、前記偏心軸が前記押込み突起と前記押込み溝のみにより前記偏心軸支持孔に押し込まれる。前記押込み突起の端面は前記押込み溝の内側面に対してスライド公差を有するように形成され、前記押込み突起の両側面は前記押込み溝の両側面に対して押込み公差を有するように形成される。前記押込み溝及び前記押込み突起は円周方向に一定の間隔で多数設けられる。
【発明の効果】
【００１０】
以上のような本発明によると、偏心軸とコネクティングロッド間に設けられるブッシュが押込み溝の両側面と押込み突起の両側面によってコネクティングロッドの偏心軸支持孔に押し込まれるので、押込みの際に作用する力が円周方向に作用して殆ど相殺されるので、ブッシュの半径方向内側への変形を大幅低減することができる。
【発明を実施するための最良の形態】
【００１１】
以下、本発明の好ましい実施例を添付図面に基づいて詳細に説明する。
【００１２】
図１に示すように、本発明による往復動式圧縮機は、外観をなす密閉容器１０の内部に、動力を発生させる駆動部２０と、この駆動部２０から動力を受けて冷媒を圧縮する圧縮部３０とを含む。
【００１３】
前記圧縮部３０は、内部に圧縮室３１ａが形成されたシリンダブロック３１と、圧縮室３１ａ内に進退可能に設けられ、往復運動して冷媒の吸入、圧縮及び吐出を行うピストン３２と、圧縮室３１ａの一側に設けられ、冷媒の吸入及び吐出を案内する吸入室３３ａ及び吐出室３３ｂが内部に形成されるシリンダヘッド３３とを含む。また、シリンダブロック３１とシリンダヘッド３３間には、圧縮室３１ａ内の圧力によって冷媒が圧縮室３１ａに吸入され、あるいは冷媒が圧縮室から吐き出されるようにするバルブプレート３４が介在される。
【００１４】
前記駆動ユニット（駆動部）２０は、密閉容器１０の内部に固着された固定子２１と、この固定子２１の内側に設けられ、固定子２１との相互作用により回転して回転力を発生させる回転子２２と、シリンダブロック３１を貫通し、回転子２２の回転力を圧縮ユニット（圧縮部）３０に伝達する回転軸２３とを含む。前記回転軸２３の端部には、回転軸２３に偏心するように設けられる偏心軸２４と、一端は偏心軸２４に回転可能に結合され、他端はピストン３２にヒンジで結合され、偏心軸２４の回転運動を直線往復運動に転換してピストン３２に伝達するコネクティングロッド２５とを含む。
【００１５】
図２に示すように、コネクティングロッド２５の両端には、偏心軸２４とピストン３２がそれぞれ結合されるように、偏心軸支持孔２５ａとピストン支持孔２５ｂが設けられる。この支持孔のうち、偏心軸支持孔２５ａは偏心軸２４が容易に挿設できるように、偏心軸２４より十分に大きく形成され、偏心軸２４と偏心軸支持孔２５ａ間には、偏心軸２４が偏心軸支持孔２５ａに挿入された後、偏心軸支持孔２５ａの内周面と偏心軸２４の外周面間の空間を満たして、偏心軸２４の回転運動がコネクティングロッド２５に安定的に伝達されるようにするブッシュ２６が設けられる。
【００１６】
前記ブッシュ２６は円筒状に形成され、中央には偏心軸２４が回転可能に挿入されるヒンジ孔２６ａが形成され、コネクティングロッド２５の偏心軸支持孔２５ａに押し込まれて固定される。
【００１７】
この際、ブッシュ２６を偏心軸支持孔２５ａに押し込む過程で作用する力によりブッシュ２６が半径方向内側に変形することを防止するため、ブッシュ２６の外径と偏心軸支持孔２５ａの内径は、互いにスライドできるように、スライド公差を有し、ブッシュ２６及び偏心軸支持孔２５ａのいずれか一方には押込み突起２６ｂが突設され、他方には押込み溝２５ｃが形成され、押込み突起２６ｂが押込み溝２５ｃに押し込まれる。したがって、ブッシュ２６がコネクティングロッド２５の偏心軸支持孔２５ａに押し込まれる過程で作用する力の殆どが押込み突起２６ｂと押込み溝２５ｃにだけ作用することになる。
【００１８】
本実施例において、ブッシュ２６の外周面には多数の押込み突起２６ｂが一定間隔で突設され、偏心軸支持孔２５ａの内周面には押込み突起２６ｂが押し込まれて固定されるように、前記押込み突起２６ｂに対応する位置に押込み溝２５ｃが一定間隔で形成されるが、押込み突起２６ｂと押込み溝２５ｃは互いに押込み結合されるように押込み公差を有する。
【００１９】
このように突設された押込み突起２６ｂの端面は前記押込み溝２５ｃの内側面に対応して形成され、押込み突起２６ｂの端面の両側面は押込み溝２５ｃの内側面の両側面に対応するように形成される。ここで、押込み突起２６ｂの端面は押込み溝２５ｃの内側面に対してスライド公差を有するように形成され、押込み突起２６ｂの両側面は押込み溝２５ｃの両側面に対して押込み公差を有するように形成される。したがって、押込みの際に作用する力の大部分は押込み突起２６ｂの両側面と押込み溝２５ｃの両側面にだけ作用することになる。
【００２０】
本実施例においては、ブッシュ２６に押込み突起２６ｂが形成され、偏心軸支持孔２５ａに押込み溝２５ｃが形成されるが、これとは反対に、図３に示すように、ブッシュ２６に押込み溝２６ｂ′を形成し、偏心軸支持孔２５ａに押込み突起２５ｃ′を形成することもできる。
【００２１】
つぎに、本発明による往復動式圧縮機のコネクティングロッドの取付け過程及び効果を説明する。
【００２２】
まず、コネクティングロッド２５のピストン支持孔２５ｂにピストン３２をヒンジで結合した後、ピストン３２をシリンダブロック３１の圧縮室３１ａに挿入する。つづいて、回転軸２３をシリンダブロック３１に貫通させた後、回転軸２３の一端に設けられた偏心軸２４を偏心軸支持孔２５ａに挿入する。この際、偏心軸支持孔２５ａの内径は偏心軸２４の外径より十分に大きく形成されているので、偏心軸２４は偏心軸支持孔２５ａ内に容易に挿入される。
【００２３】
この状態で、偏心軸支持孔２５ａにブッシュ２６を押し込む。すると、偏心軸２４はブッシュ２６のヒンジ孔２６ａ内に回転可能に挿設され、偏心軸２４と偏心軸支持孔２５ａの内周面間の空間はブッシュ２６により殆ど満たされるので、偏心軸２４の偏心回転運動が安定的に往復運動に転換されてピストン３２に伝達される。
【００２４】
この際、ブッシュ２６は偏心軸支持孔２５ａの内周面に対してスライド公差を有するので、押込み突起２６ｂのみによって偏心軸支持孔２５ａの押込み溝に押し込まれる。特に、各押込み突起２６ｂの両側面と押込み溝２５ｃの両側面が押込み公差を有するので、押込み突起２６ｂの両側面のみが押込み溝２５ｃの両側面に押し込まれて固定される。したがって、ブッシュ２６を偏心軸支持孔２５ａに押し込む過程で押込み突起２６ｂに作用する力は殆ど押込み突起２６ｂの両側面に円周方向に作用して互いに相殺されるので、ブッシュ２６を半径方向内側に変形させる力としては殆ど作用しない。
【図面の簡単な説明】
【００２５】
【図１】本発明による往復動式圧縮機の全体構造を示す断面図である。
【図２】本発明による往復動式圧縮機のコネクティングロッドとブッシュを示す斜視図である。
【図３】本発明の他の実施例による往復動式圧縮機のコネクティングロッドとブッシュを示す斜視図である。
【符号の説明】
【００２６】
１０  密閉容器
２０  駆動ユニット
２１  固定子
２２  回転子
２３  回転軸
２４  偏心軸
２５  コネクティングロッド
２５ａ  偏心軸支持孔
２５ｂ  ピストン支持孔
２５ｃ  押込み溝
２６  ブッシュ
２６ａ  ヒンジ孔
２６ｂ  押込み突起
３０  圧縮ユニット
３１  シリンダブロック
３１ａ  圧縮室
３２  ピストン
３３  シリンダヘッド
３３ａ  吸入室
３３ｂ  吐出室
【図１】
2005163776.tif 000003
【図２】
2005163776.tif 000004
【図３】
2005163776.tif 000005